(57)【要約】【課題】封筒の開封や、新聞記事をスクラップしたり、封筒の文書から個人情報の記載を切り抜くためのペーパーカッターを使い勝手が良く、かつ、安全性が高くなるようにすること。【解決手段】グリップを備えたカッターフレームに側縁に刃部を有する薄板のカッター本体を支持し、このカッター本体の下端に前記刃部と同じ向きにて水平に突出するガイド角を設け、このガイド角と前記カッター本体の刃部とで形成する角度が９０度以上の鈍角となるようにし、しかも、前記ガイド角の先端に対向するカバーを前記カッターフレームに回動可能に取付ける【選択図】図１
2013022432.tif 000002
【特許請求の範囲】
【請求項１】
グリップを備えたカッターフレームに側縁に刃部を有する薄板のカッター本体を支持し、このカッター本体の下端に前記刃部と同じ向きにて水平に突出するガイド角を設け、このガイド角と前記カッター本体の刃部とで形成する角度が９０度以上の鈍角となるようにしたことを特徴とするペーパーカッター。
【請求項２】
前記ガイド角の先端に対向するカバーを前記カッターフレームに回動可能に取付けたことを特徴とする請求項１に記載のペーパーカッター。
【請求項３】
前記カッターフレームに一対のカッター本体を前記刃部と反対の側縁を互いに向き合わせて支持したことを特徴とする請求項１又は請求項２に記載のペーパーカッター。
【発明の詳細な説明】
【技術分野】
【０００１】  本発明は、封筒の開封や、新聞記事をスクラップしたり、封筒等から個人情報の記載を切り抜くためのペーパーカッターに関するものである。
【背景技術】
【０００２】  従来、スクラップのために新聞記事を切取ったり、封筒を開封するものとしては一般的に細長い刀状に形成されたカッターが種々提供されている。
【先行技術文献】
【特許文献】
【０００３】
【特許文献１】特開２０１１−３６６２９号公報
【発明の概要】
【発明が解決しようとする課題】
【０００４】  しかし、上述のような従来例にあっては、カッターナイフの刃は常に露出した状態となっており、この刃によって使用時に指を切ったりすることがあり、使用時の安全性に問題があった。また、上記のようなカッターナイフにおいては、用紙を切断するとき下敷きを使わないと、机面に傷をつけることになるので、常に下敷きを準備することになり、使い勝手が悪いなどの欠点がある。【０００５】  本発明は上記問題点の解決を目的とするものであり、安全性が高いと共に使い勝手が良いペーパーカッターを提供しようとするものである。
【課題を解決するための手段】
【０００６】  前記課題を解決し、かつ目的を達成するために、この発明は以下のように構成した。【０００７】  請求項１に記載の発明は、グリップを備えたカッターフレームに側縁に刃部を有する薄板のカッター本体を支持し、このカッター本体の下端に前記刃部と同じ向きにて水平に突出するガイド角を設け、このガイド角と前記カッター本体の刃部とで形成する角度が９０度以上になるようにしたことを特徴とするペーパーカッターである。【０００８】  請求項２に記載の発明は、前記ガイド角の先端に対向するカバーを前記カッターフレームに回動可能に取付けたことを特徴とするペーパーカッターである。【０００９】  請求項３に記載の発明は、前記カッターフレームに一対のカッター本体を前記刃部と反対の側縁を互いに向き合わせて支持したことを特徴とするペーパーカッターである。
【発明の効果】
【００１０】  前記構成により、この発明は以下のような効果を有する。【００１１】  カッターフレームに取付けた薄板のカッター本体の下端に、前記カッター本体の側縁に有する刃部に対して９０度以上の鈍角となるよう針状のガイド角を設けるので、新聞記事を切り取るような場合にはガイド角を新聞紙の表から裏に差し入れて掬い上げ、この状態でグリップを持って、カッターフレームを前方又は後方に移動させることにより、新聞紙の必要な記事が刃にて切断される。【００１２】  また、封筒等を開封するような場合にはガイド角を封筒の糊付け部分に差し入れ、この状態で前方にカッターフレームを押すことで刃にて順次切断することになり、下敷きを使わないので机面に傷をつけることなく、封筒を開封することができ使い勝手が良くなる。【００１３】  さらに、前記ガイド角の先端にカバーを対向させ、このカバーを前記カッターフレームに回動可能に設けたので、薄紙を切断しないときは、カバーを上方から下方に回動させガイド角に対向させることにより、手の指がガイド角の先端に接触して傷つくことがなく安全である。【００１４】  また、前記カッターフレームに一対のカッター本体を前記刃部と反対の側縁を互いに向き合わせて取付けたので、ガイド角をカッター本体の刃部に向けて延出し、この延出部分にてガイド角を設けるようにしてあると、ガイド角によって目詰まりするようなことなく薄紙をカッター本体の刃部に導くことができるものであり、新聞紙のような粗悪な薄紙であっても目詰まりすることなく連続的に切断することができるものである。
【図面の簡単な説明】
【００１５】
【図１】第１の実施の形態のペーパーカッターの正面図である。
【図２】図１のＩＩ−ＩＩ断面である。
【図３】図１のペーパーカッターの使用状態を示す側面図である。
【図４】第２の実施の形態のペーパーカッターの正面図である。
【図５】第３の実施の形態のペーパーカッターの正面図である。
【発明を実施するための形態】
【００１６】  以下、この発明のペーパーカッターの実施の形態について説明する。この発明の実施の形態は、発明の最も好ましい形態を示すものであり、この発明はこれに限定されない。
（第１の実施の形態）
この第１の実施の形態を、図１乃至図３に基づいて説明する。図１はペーパーカッターの正面図、図２は図１のＩＩ−ＩＩ線の断面図、図３はペーパーカッターの使用状態を示す側面図である。
【００１７】  この発明のペーパーカッター１は、側縁に刃部３を有する薄板のカッター本体２がカッターフレーム４に支持されている。前記カッター本体２の支持は前記カッターフレーム４に溝４１を形成し、この溝４１に前記カッター本体２を嵌合する構成にしたが、前記カッターフレーム４を一対とし、この間に前記カッター本体２を挟持する構成でもよい。
【００１８】  前記カッター本体２の下端には、水平なガイド角５が溶接により設けられ、このガイド角５の先端は前記刃部３と同じ向きにて突出し、しかも前記ガイド角５と前記刃部３とで形成する角度αが９０度以上の鈍角になるように設定される。
【００１９】  前記ガイド角５に対向して断面コ字状のカバー６を前記カッターフレーム４に支軸７より回転可能に取付け、このカバー６により前記ガイド角５の先端や前記刃部３に指が接触することを防いでいる。そして薄紙９を切断する時は、前記カバー６を上方に回動して、前記ガイド角５を薄紙９の表から裏に差し入れて掬い上げ、前記刃部３にて薄紙を切断する。
【００２０】  さらに、薄紙９を切断しないときは、前記カバー６を上方から下方に回動させ前記ガイド角５に対向させることにより、手の指が前記ガイド角５の先端に接触して傷つくことがなく安全である。
【００２１】  前記カッターフレーム４にグリップ８を備え、このグリップ８を手に持ってカッター本体２を前方又は後方に移動し薄紙９を前記刃部３により所定の範囲を切断する。このため、余分な切残しがないのでゴミの処理がなくなる。
【００２２】  また、新聞紙の所定記事や封筒の住所の記載を切断するにあたっては、前記ガイド角５を新聞紙または封筒の表から裏に差し入れて掬い上げ、この状態で前記グリップ８を持って、前記カッターフレーム４の前記カッター本体２を前方又は後方に移動させることにより、新聞紙または封筒の必要な個所が切断される。
【００２３】  ペーパーカッター１にて封筒等を開封するにあたっては、ガイド角５を糊付け部分の隙間に差し入れ、この状態で前記カッターフレーム４の前記カッター本体２を前方に押すことで薄紙９は刃部３によって順次切断されることとなり、開封することができるようになっている。特に、糊付けされた封筒のようなものであっても、手間取ることなく確実且つ綺麗に開封することができるものである。
【００２４】  しかも、前記ガイド角５の存在によって刃部３の部分で薄紙９に皺が寄ったり、目詰まりするようなことがないもので、新聞紙のような粗悪な薄紙であっても綺麗に切断することができるものである。
【００２５】  （第２の実施の形態）
次に、第２の実施の形態を、図４に基づいて説明する。この実施の形態において第１の実施の形態と同じ構成は同一の符号を付して説明する。
【００２６】  前記ペーパーカッター１の前記カッターフレーム４に一対のカッター本体２１と２２が支持される。このカッター本体２１、２２は側縁に形成した刃部３１、３２と反対の側縁を互いに向き合わせるようにする。
【００２７】  前記カッター本体２１、２２のそれぞれの下端には、水平なガイド角５１、５２が溶接により設けられ、このガイド角５１、５２の先端は前記刃部３１、３２と同じ向きにて突出し、しかも前記ガイド角５１、５２と前記刃部３１、３２で形成する角度αが９０度以上の鈍角になるように設定される。
【００２８】  これにより、前記グリップ８を持って前記カッターフレーム４を前方又は後方に移動し、薄紙９を前記カッター本体２１、２２の刃部３１、３２にて切断することができる。
【００２９】  なお、前記カッター本体２１、２２の下端に設けたガイド角５１、５２の先端に対向してカバー６１、６２を前記カッターフレーム３に支軸７１、７２により回動可能に取り付ける。
【００３０】  また、前記カッターフレーム３に一対のカッター本体２１、２２を設け、このカッター本体２１、２２の前記刃部３１、３２にて薄紙９を切断しても、切断箇所が歪んだりするようなことがなく任意の形状に薄紙９を直線的に切断することができるものである
【００３１】  （第３の実施の形態）
さらに、第３の実施の形態を、図５に基づいて説明する。この実施の形態ではカッター本体２１１の下端の水平なガイド角５１１を前記カッター本体２１１と一体に設けており、その他は第１の実施の形態と同じ構成なので同一の符号を付する。
【００３２】  前記ガイド角５１１が前記カッター本体２１１に一体なので、前記ガイド角５１１の突出が短くなり、薄紙９に差し込んでから直ちに切断が始まり、必要な個所の切断が迅速に得られる。
なお、この実施の形態においても前記ガイド角５１１に対向して断面コ字状のカバー６１１を前記カッターフレーム４に支軸７１１より回転可能に取付ける。
【００３３】  図１に示された実施の態様にあっては、前記カッターフレーム４に一つのカッター本体２を配される状態となっているものについて示したが、このものに限定されるものではなく、図５に示されるようにカッター本体２１１を一対にし、刃部と反対の側縁を対向させて配置するようにしてもよい。
【産業上の利用可能性】
【００３４】  切断時に下敷きがなくてもガイド角を差し入れることでカッター本体の刃に薄紙を導くことができ、手間取ることなく綺麗に切断することができるものであり、使い勝手が良いと共に安全性の高いペーパーカッターを提供することができるものである。
【符号の説明】
【００３５】  １  ペーパーカッター
２、２１、２２、２１１  カッター本体
３、３１、３２  刃部
４  カッターフレーム
４１  溝
５、５１、５２、５１１  ガイド角
６、６１、６２、６１１  カバー
７、７１、７２、７１１  支軸
８  グリップ
【図１】
2013022432.tif 000003
【図２】
2013022432.tif 000004
【図３】
2013022432.tif 000005
【図４】
2013022432.tif 000006
【図５】
2013022432.tif 000007
【手続補正書】
【提出日】平成24年2月22日(2012.2.22)
【手続補正１】
【補正対象書類名】特許請求の範囲
【補正対象項目名】全文
【補正方法】変更
【補正の内容】
【特許請求の範囲】
【請求項１】
グリップを備えたカッターフレームが側縁に刃部を有する薄板のカッター本体の上端を支持し、このカッター本体の下端に前記刃部と同じ向きにて水平に突出する針状のガイド角を設け、
前記カッター本体の刃部と前記ガイド角との角度を９０度以上の鈍角にしたことを特徴とするペーパーカッター。
【請求項２】
前記ガイド角の先端の正面に対向する断面コ字状のカバーを前記カッターフレームに回動可能に取付けたことを特徴とする請求項１に記載のペーパーカッター。
【請求項３】
前記カッターフレームに一対のカッター本体を前記刃部と反対の側縁を互いに向き合わせてハの字状に支持したことを特徴とする請求項１又は請求項２に記載のペーパーカッター。
【手続補正２】
【補正対象書類名】明細書
【補正対象項目名】０００７
【補正方法】変更
【補正の内容】
【０００７】
請求項１に記載の発明は、グリップを備えたカッターフレームが側縁に刃部を有する薄板のカッター本体の上端を支持し、このカッター本体の下端に前記刃部と同じ向きにて水平に突出する針状のガイド角を設け、
前記カッター本体の刃部と前記ガイド角との角度を９０度以上の鈍角にしたことを特徴とするペーパーカッターである。
【手続補正３】
【補正対象書類名】明細書
【補正対象項目名】０００８
【補正方法】変更
【補正の内容】
【０００８】
請求項２に記載の発明は、前記ガイド角の先端の正面に対向する断面コ字状のカバーを前記カッターフレームに回動可能に取付けたことを特徴とする請求項１に記載のペーパーカッターである。
【手続補正４】
【補正対象書類名】明細書
【補正対象項目名】０００９
【補正方法】変更
【補正の内容】
【０００９】
請求項３に記載の発明は、前記カッターフレームに一対のカッター本体を前記刃部と反対の側縁を互いに向き合わせてハの字状に支持したことを特徴とする請求項１又は請求項２に記載のペーパーカッターである。
【手続補正書】
【提出日】平成24年7月17日(2012.7.17)
【手続補正１】
【補正対象書類名】特許請求の範囲
【補正対象項目名】全文
【補正方法】変更
【補正の内容】
【特許請求の範囲】
【請求項１】
グリップを備えたカッターフレームが側縁に刃部を有する薄板の一対のカッター本体の上端を支持し、それぞれの前記カッター本体の下端に前記刃部と同じ向きにて水平に突出する針状のガイド角を設け、前記刃部と前記ガイド角との角度を９０度以上の鈍角にし、
一対の前記カッター本体を前記刃部と反対の側縁を互いに向き合わせてハの字状に配置し、前記カッター本体の互いの上端が近接する位置の前記カッターフレームより前記グリップを上方に突出させることを特徴とするペーパーカッター。
【請求項２】
グリップを備えたカッターフレームが側縁に刃部を有する薄板の一対のカッター本体の上端を支持し、それぞれの前記カッター本体の下端に前記刃部と同じ向きにて水平に突出する針状のガイド角を設け、前記刃部と前記ガイド角との角度を９０度以上の鈍角にし、
一対の前記カッター本体を前記刃部と反対の側縁を互いに向き合わせてハの字状に配置し、前記カッター本体の互いの上端が近接する位置の前記カッターフレームより前記グリップを上方に突出させるとともに、一対の前記カッター本体の前記ガイド角の先端の正面に対向する断面コ字状のカバーを前記カッターフレームに回動可能に取付けることを特徴とするペーパーカッター。
【手続補正２】
【補正対象書類名】明細書
【補正対象項目名】０００７
【補正方法】変更
【補正の内容】
【０００７】
請求項１に記載の発明は、グリップを備えたカッターフレームが側縁に刃部を有する薄板の一対のカッター本体の上端を支持し、それぞれの前記カッター本体の下端に前記刃部と同じ向きにて水平に突出する針状のガイド角を設け、前記刃部と前記ガイド角との角度を９０度以上の鈍角にし、
一対の前記カッター本体を前記刃部と反対の側縁を互いに向き合わせてハの字状に配置し、前記カッター本体の互いの上端が近接する位置の前記カッターフレームより前記グリップを上方に突出させることを特徴とするペーパーカッターである。
【手続補正３】
【補正対象書類名】明細書
【補正対象項目名】０００８
【補正方法】変更
【補正の内容】
【０００８】
請求項２に記載の発明は、グリップを備えたカッターフレームが側縁に刃部を有する薄板の一対のカッター本体の上端を支持し、それぞれの前記カッター本体の下端に前記刃部と同じ向きにて水平に突出する針状のガイド角を設け、前記刃部と前記ガイド角との角度を９０度以上の鈍角にし、
一対の前記カッター本体を前記刃部と反対の側縁を互いに向き合わせてハの字状に配置し、前記カッター本体の互いの上端が近接する位置の前記カッターフレームより前記グリップを上方に突出させるとともに、一対の前記カッター本体の前記ガイド角の先端の正面に対向する断面コ字状のカバーを前記カッターフレームに回動可能に取付けることを特徴とするペーパーカッターである。
【手続補正４】
【補正対象書類名】明細書
【補正対象項目名】０００９
【補正方法】削除
【補正の内容】